(57)【要約】      （修正有）【課題】配管設計の幅を大きく広げると共に、施工作業を能率的に行える分岐弁を提供する。【解決手段】分岐チーズの貫通する通水孔２１とこれに直交して分岐する分岐通水孔２２の分岐基部に、止水弁３を開閉可能に設けた配管部材として一体化させ、パイプニップル等の介在部材が無くなり部品点数が減少すると共に、面間距離が短縮されて分岐弁としての重量も軽量化された。かつ分岐部の流路も、段差を生じさせることなくスムーズな曲面流路に形成することができるので、排泥時に異物を完全に除去することができる。【選択図】図１
2011043228.tif 000002
【特許請求の範囲】
【請求項１】
分岐チーズの貫通する通水孔とこれに直交して分岐する分岐通水孔の分岐基部に、止水弁体を開閉可能に設けて一体的に構成したことを特徴とする分岐弁
【請求項２】
止水弁体を収容する分岐チーズ形態の弁箱本体を一体成形により形成するようにした請求項１記載の分岐弁
【発明の詳細な説明】
【技術分野】
【０００１】
本発明は、水道本管から分岐して配管する際の分岐部に用いられ、新設配管においては初期設定時の排泥弁や分岐チーズとして用いることのできる分岐弁に関するものである。
【背景技術】
【０００２】
従来、水道本管から配管を分岐させる場合には、分岐配管への給水を制御するための止水弁体の設定が必要であり、分岐チーズと止水弁を用いて分岐配管が行われてきたが、止水弁のハンドル位置の調整は、分岐チーズと止水弁の間に介在させたパイプニップル（短管）と螺合配管のねじの締め代で行ってきている。
【０００３】
また、既設の水道本管から配管分岐を行う場合には、水道本管の外周面にサドル継手や割Ｔ字管を水密性を保持して装着した後、止水弁を開き、それらの開口部より穿孔機のカッターを挿入して装着部材の水道本管の着合面に分水孔を穿設することにより行われてきている。
【０００４】
更に、新設配管における分岐構造部においては、初期給水時におけるドレーンとしての排泥機能が必要であり、分岐流路部の段差構造などによる円滑な排泥機能の阻害も問題とされてきている。
【先行技術文献】
【特許文献】
【０００５】
分岐配管構造部の給水制御のための止水機構については、特許文献１記載のように、中空状の胴体部と該胴体部の内側と連通し遮断板を挿通するように形成された遮断溝と、胴体部の一側開口部と一体に形成され、主管の外周面と融着する鞍装部を設けた分岐弁を用いることや、本管の外周面に固定したサドル本体の開口部に本管の分岐口を囲んで密封するシール部材を装着し、開口部の上部に弁収納部を設け、弁収納部の上部に給水管を接続する給水口を設けるとする特許文献２のような分岐弁の提案もなされてきている。
【０００６】
更に、流体管の外周面に分岐口部を有する継手を装着した後、流体管に分岐口部と連通する分岐口を穿設し、この分岐孔に先端が流体管の内壁と当接し、外周面に複数の切欠孔を有する補強管を圧嵌して、分岐口部に接続した分岐管に流体を分岐させる方法も用いられてきている。
【特許文献１】特開２００３−１５６１８７号公報
【特許文献２】特開平８−３３８５８６号公報
【特許文献３】特許第３８０６２１６号公報
【発明の概要】
【発明が解決しようとする課題】
【０００７】
従来の水道本管にパイプニップル（短管）を介して分岐配管側に止水弁を設定する方法については、止水弁のハンドル位置を分岐チーズと止水弁の間にパイプニップル（短管）を介して螺合配管のねじの締め代で調整する作業が極めて面倒であり、高度の技術を要するうえ、狭い場所での作業が極めて困難である。
【０００８】
また、パイプニップル（短管）を介して止水弁を設定しなければならないため、部品点数が多くなり面間距離が長くなる問題がある。加えて、螺合配管のねじの締め代で止水弁の位置を調整するため、接続作業の未熟による漏水等の事故発生を招き易いという点でも問題を残す。
【０００９】
更に、前記、水道本管の外周面にサドル継手や割Ｔ字管を水密性を保持して装着した後、止水弁を開き、装着部材の水道本管の着合面に分水孔を穿設する方法に場合には、水道本管との同径分岐内径が確保できないため、穿孔機等の専用工具が必要になると共に、穿孔部に段差が発生し排泥時に異物が完全に除去できないという問題もあった。
【課題を解決するための手段】
【００１０】
本発明は上記した課題に対応しようとするものであり、分岐チーズの貫通する通水孔とこれに直交して分岐する分岐通水孔の分岐基部に、止水弁体を開閉可能に設けた配管部材として一体化させることにより、分岐弁として配管設計の幅を大きく広げると共に、施工作業を能率的に行えるようにした。
【００１１】
本発明は上記のように、分岐チーズと止水弁を一体化させたので、パイプニップル等の介在部材が無くなり部品点数が減少すると共に、面間距離が短縮されて分岐弁としての重量も軽量化された。
【発明の効果】
【００１２】
上記の面間距離の短縮と部材重量の軽量化により、今まで作業が困難であった狭い場所での作業が可能になった。
更に、配管接合のねじ込み作業が少なくなるため、配管作業時間が大幅に短縮されると共に、接合箇所の減少により当然のことながら漏水等の事故発生が低減するものである。
【００１３】
また、分岐チーズと止水弁の弁箱が一体的に形成されるので、分岐チーズの貫通する通水孔とこれに直交して分岐する側方通水孔の分岐部の流路も、段差を生じさせることなくスムーズな曲面流路に形成することができるので、排泥時に異物を完全に除去することができる。
【図面の簡単な説明】
【００１４】
【図１】本発明による分岐弁の実施例を示すもので、チーズ継手部の流路と止水弁体部の通水路の交差流路構造を示す止水弁開放時における分岐弁の縦断面正面図
【図２】同じく、図１の分岐弁の止水弁閉鎖時における縦断面正面図
【図３】同じく、図１の分岐弁の右側面図
【図４】同じく、図１の分岐弁の平面図
【図５】同じく、本発明による分岐弁を埋設設定した場合における排泥経路を示す埋設設定施工部の全体断面図
【図６】同じく、短管を介してチーズ継手と止水弁を接合した従来例による分岐弁の縦断面正面図
【図７】同じく、水道本管の外周面にサドル継手を装着した後、装着部材と水道本管との着合面に分水孔を穿設して止水弁体を接合した従来例による分岐弁の縦断面正面図
【発明を実施するための形態】
【００１５】
以下、図面を参照して本発明の実施の形態について詳細に説明すると、１は弁箱本体で、チーズ部２と止水弁３の弁室が一体に形成され、チーズ部２には本管を継手する貫通通水孔２１と貫通通水孔に対して直交方向に分岐する分岐通水孔２２がＴ字状に形成されている。
【００１６】
分岐通水孔２２の分岐基部には、ハンドル３１の回動によって昇降し分岐通水孔２２の流路を開閉する止水弁３が設定され、貫通通水孔２１の両端は、それぞれ、水道本管Ｐの端部と螺合継手される継手部２１ａ、２１ｂ、同様に分岐通水孔２２の端部も分岐配管Ｒと螺合継手される継手部２２ａとなっていて、配管経路に直接組み込まれる構成になっている。
【００１７】
以上のように構成された分岐弁は、継手部２１ａ、２１ｂに水道本管Ｐをそれぞれ継手して本管流路を形成し、継手部２２ａに分岐配管Ｒを継手して本管から分水する分岐配管流路の形成に用いられるほか、図５に示すように埋設配管のドレーン端末部における分岐流路の形成に用いられる。
【００１８】
図５においてＢは地中に埋設されたマンホールボックスであり、その底部に本件発明による分岐弁が設定され、継手部２２ａに継手される分岐配管Ｒは排水側溝Ｗに連通するドレーン配管Ｄに接合する。貫通通水孔２１に汚泥が堆積した場合、常時は閉鎖されている分岐弁の止水弁体３を開放すると貫通通水孔２１の送水圧によって堆積汚泥が分岐配管Ｒに流れ、ドレーン配管Ｄを通じて排水側溝Ｗに排出されるものである。
【００１９】
本件発明による分岐弁を従来例と比較して見ると、従来例では図７に示されるように短管Ｓを介してチーズ継手Ｔと螺合され、止水弁３のハンドル位置を止水弁の流路両側に継手される短管Ｓや分岐配管Ｒのねじの締め代で調整しながら継手されていたもので、本発明の上記構成により面間距離が短管分だけ短縮されると共に、チーズ部２と止水弁室３２が固定的に形成されるので止水弁３のハンドル位置の調整は必要がない。
【００２０】
図７は、水道本管Ｐの外周面にサドル継手Ｃ１、Ｃ２を装着し、水道本管との着合面に分水孔Ｈを穿設して止水弁３を接合した従来例を示すものであるが、面間距離が長くなり、部品点数が多くなって作業効率と設定スペースの両面で問題を残している。特に前記のドレーン配管分岐に用いる場合には、分水孔Ｈの穿設部分に段差が生じ、異物を排除しきれない問題があった。
【実施例１】
【００２１】
本発明の実施形態としての実施例１を図面を参照して説明する。
Ｔ字状に構成された弁箱本体１の分岐基部上面に、弁室構成部１１ａが開口形成され、止水弁ユニットを挿通支持する弁室蓋体部１１ｂが螺合して止水弁ユニット３３を装着固定することによって部材としての分岐弁が構成される。
【００２２】
上記のような基本的構成を有する弁箱本体１を、一体成形により図１に示すように貫通通水孔２１と分岐通水孔２２の連通部を段差のない曲面構成とすることによって異物や汚泥の堆積を防止すると共に、ドレーン配管による排泥機能が高められるものである。
【００２３】
チーズ部２の継手部２１ａ、２１ｂと分岐配管Ｒを継手する継手部２２ａは、それぞれ、水道本管Ｐ、分岐配管Ｒに接合されるものであるが、この接合構造を締め込みナットによる継手構造にすれば、配管接合作業を極めて効率的に行うことができる。
【産業上の利用可能性】
【００２４】
本発明は以上のように構成したので、水道配管の設計上は分岐部に用いるＴ型分岐チーズとして配設することができ、止水栓の配設スペースを考慮せずに自由な設計を行うことができて、且つ、軽量で各配管との接合作業も容易な水道配管部材として水道施設産業上に高度の利用価値を有するものである。
【符号の説明】
【００２５】
１      弁箱本体
１１ａ  弁室構成部
１１ｂ  弁室蓋体部
２      弁箱本体のチーズ部
２１    弁箱本体の貫通通水孔
２１ａ  弁箱本体貫通通水孔の配管継手部
２１ｂ  弁箱本体貫通通水孔の配管継手部
２２    弁箱本体の分岐通水孔
２２ａ  弁箱本体貫通通水孔の配管継手部
３      止水弁
３１    止水弁の操作ハンドル
３２    止水弁室
３３    止水弁ユニット
Ｂ      マンホールボックス
Ｃ１    サドル継手
Ｃ２    サドル継手
Ｄ      ドレーン配管
Ｈ      分水孔
Ｐ      水道本管
Ｒ      分岐配管
Ｓ      短管
Ｔ      チーズ継手
Ｗ      排水側溝
【図１】
2011043228.tif 000003
【図２】
2011043228.tif 000004
【図３】
2011043228.tif 000005
【図４】
2011043228.tif 000006
【図５】
2011043228.tif 000007
【図６】
2011043228.tif 000008
【図７】
2011043228.tif 000009